(57)【要約】【課題】パチンコ玉揚送研磨機の研磨布保持装置に研磨布の埃や毛羽を除去するための吸塵プレートを設けることにより、研磨布の洗濯を容易にする。【解決手段】研磨布保持装置は、扉５に取り付けられた取付板２１に対して昇降自在に設けられた布保持手段２３により研磨布Ｎは付勢された状態に保持されている。研磨布Ｎの保持は、クランプ手段２７によって行われるが、クランプ手段の内側に、研磨布を揚送研磨機から引き出す際に研磨布Ｎの表面が摺動することにより静電気を誘起可能とするように吸塵プレート３３を設けてある。吸塵プレート３３は、鉄電気石をプレート状に成形したものにより研磨布Ｎの表面に付着している埃や毛羽を吸引可能なものを採用してある。【選択図】      図３
2004181129.tif 000002
【特許請求の範囲】
【請求項１】
研磨布と揚送ベルトとによりパチンコ玉を研磨しながら揚送する揚送研磨機の扉の外面に取り付け可能な取付板と、この取付板に昇降可能に装着してある布保持手段と、この布保持手段の両側部に立設してある側板部を介して揺動自在に支持してあり、上記研磨布を当該布保持手段に保持させるクランプ手段と、上記布保持手段を下方に向けて付勢可能に設けてある付勢手段とを備えたパチンコ玉揚送研磨機の研磨布保持装置において、
上記クランプ手段には、上記研磨布を上記揚送研磨機から引き出す際に当該研磨布の表面と摺動することにより静電気を誘起可能とするように吸塵プレートが設けてある
ことを特徴とするパチンコ玉揚送研磨機の研磨布保持装置。
【請求項２】
請求項１において、上記吸塵プレートは、鉄電気石をプレート状に成形したものであることを特徴とするパチンコ玉揚送研磨機の研磨布保持装置。
【請求項３】
請求項１又は請求項２のいずれかにおいて、上記布保持手段は、上記クランプ手段の揺動角を規制する揺動角規制手段を備えていることを特徴とするパチンコ玉揚送研磨機の研磨布保持装置。
【発明の詳細な説明】
【０００１】
【発明の属する技術分野】
本発明は、パチンコ玉揚送研磨機の研磨布保持装置に関するものである。
【０００２】
【従来の技術】
パチンコ玉揚送研磨機のうち、いわゆるベルト式揚送研磨機は、柱状の揚送塔本体に開閉自在に取り付けられた扉の内側に揚送プレートを設け、この揚送プレートの表面には研磨布が覆うように装着してある。これに対し、揚送塔本体側には、無端ベルトの表面が研磨布と所定間隔で対向し、かつこの表面が上向きに回転移動するように設けてある。上記の研磨布とベルトの表面との間に送り込まれたパチンコ玉は、ベルトの回転移動に伴って転がり移動により上昇しながら研磨可能としてある。こうして揚送塔内を上昇したパチンコ玉は、上端に達して上部タンク等に貯留された後再利用可能となっている。
【０００３】
このようなベルト式揚送研磨機に用いられる研磨布は、揚送研磨機の下部から扉の内側に引き込まれ、扉の内側で上方へ引き上げられ、さらに扉の上部から外へ引き出された状態に装着されている。この研磨布は、汚れの度合いが進むと研磨能力が低下するため、扉の上部から引き出し、扉の内側で研磨作用を分担している部分を交代させることにより、研磨性能の低下防止を図ってある。研磨布の保持は、研磨布の下部を扉の下部に設けられた布押さえ部材で固定し、研磨布の上部を扉の外側に取り付けられた研磨布保持装置により研磨布に付勢力を与えた状態に保持するようになっている。
【０００４】
図７は、研磨布保持装置の従来技術例を示したものであるが、この装置の基本的な構成は、揚送研磨機の扉７１の前面に、取り付け板７３がビス止め固定してあり、これに布保持手段７５が昇降自在に取り付けられている。布保持手段７５は、側板部７７ａと布保持プレート７７ｂを有するスライド部材７７と、研磨布（図示略）を押さえ付けるクランプ部材７９とからなる。このクランプ部材７９は、本体７９ａが両側板部７７ａ，７７ａに揺動自在に支持されており、ハンドル７９ｂを使って揺動させることにより、研磨布の押さえ付け及び解放の操作を行うようになっている。研磨布の保持は、ハンドル７９ｂが布保持プレート７７ｂに接近する位置まで移動させ、押さえ付け部７９ｃの先端部を研磨布の表面に食い込ませることにより押さえ付けるようになっている。
【０００５】
布保持手段７５は、スプリング８１により下向きの付勢力を受けることにより研磨布を緊張状態に保持可能としている。上記したように、研磨布は、汚れが進行し、あるいは研磨布の繊維から毛羽が脱落するなどにより研磨機能が低下した範囲を引き出して未使用範囲と交代させるようになっている。こうして順次研磨布の未使用範囲を交代し、引き出した研磨布はロール状に巻き取って新しい研磨布と交換している。研磨布の範囲交代の要領は、布押さえ部材を緩めて研磨布の下部を開放するとともに、クランプ部材７９のハンドル７９ｂを持ち上げ、押さえ付け部７９ｃの先端部を研磨布から退避させることにより、必要な長さ分を引き出してから上記両者で固定するようになっている
【０００６】
【発明が解決しようとする課題】
使用済み研磨布は洗濯して再使用に供されるのであるが、研磨布に毛羽や埃の付着量が多いと、洗濯時間が長くかかるために研磨布の痛みが大きくなり、それだけ研磨布の寿命が短くなる問題がある。また、洗剤の使用量も多くなるため研磨布の管理費を増加させている問題がある。本発明の目的は、研磨布を引き出す際に、予め除去可能な毛羽や埃を除去することにより研磨布の管理費の軽減を図ることにある。
【０００７】
【課題を解決するための手段】
上記の目的を達成するために、本発明は以下の手段を採用することにより以下の作用効果を生じるようにしたところに特徴がある。
【０００８】
（請求項１に記載した発明の構成）
請求項１に記載した発明は、研磨布と揚送ベルトとによりパチンコ玉を研磨しながら揚送する揚送研磨機の扉の外面に取り付け可能な取付板と、この取付板に昇降可能に装着してある布保持手段と、この布保持手段の両側部に立設してある側板部を介して揺動自在に支持してあり、研磨布を布保持手段に保持させるクランプ手段と、この布保持手段を下方に向けて付勢可能に設けてある付勢手段とを備えたパチンコ玉揚送研磨機の研磨布保持装置に以下の手段を採用したものである。すなわち、上記のクランプ手段には、研磨布を揚送研磨機から引き出す際にこの研磨布の表面と摺動することにより静電気を誘起可能とするように吸塵プレートが設けてあるところに特徴がある。
【０００９】
（請求項１に記載した発明の作用効果）
請求項１に記載した発明は、上記の構成の採用により、研磨布の使用済みの範囲を引き出す際に、研磨布の表面が吸塵プレートの表面を摺動するため、この吸塵プレートに静電気が誘起される。このため、研磨布の表面に付着している埃や毛羽が吸引されて吸塵プレートに付着する。この結果、研磨布の表面が清掃されるため、使用済み研磨布の洗濯時間を短縮可能となるため、研磨布の痛みを小さくすることができることから研磨布の寿命が延ばすことができる他、洗剤の使用量を節減することができる。
【００１０】
（請求項２に記載した発明の特徴）
請求項２に記載した発明は、上記した吸塵プレートの構成を限定したものである。静電気の誘起は、異種物体同士の摩擦により生じることは知られているが、ここでは、静電気の誘起量が著しく大きい鉄電気石をプレート状に成形したものを採用してあるところに特徴がある。鉄電気石は、強い焦電性を有することから研磨布を引き出す際の研磨布の移動を利用し、両者の摺動による摩擦で静電気を起こさせるようにしたものである。
【００１１】
（請求項３に記載した発明の特徴）
請求項３に記載した発明は、研磨布保持装置のクランプ手段に、揺動角規制手段を備えることにより研磨布と吸塵プレートとの間の接触を確実にするようにしてあるところに特徴がある。研磨布の表面を吸塵プレートの表面に沿って摺動させるためには、研磨布がクランプ部材の下方に位置している部分を持ち上げるようにしながら引き出し、クランプ部材の内側に設けてある吸塵プレートの表面に接触可能にする必要がある。実際には、研磨布を高速で引き出すと、クランプ部材が跳ね上がってしまうことがあるため、両者の接触が不十分となるおそれがあるので、クランプ手段を押さえ付けるようにして揺動角を規制することが望ましい。また、クランプ手段が無制限に揺動可能となっていると、研磨布を引き出す際に、これを必要以上に持ち上げないと十分な接触が得られなくなるため、操作が面倒になる。そこで、揺動角を規制した状態の下に引き出し可能とすれば、研磨布の引き出し作業も容易となる利点がある。
【００１２】
【発明の実施の形態】
次に、本発明の実施の形態例について図面を参照して説明する。まず、本発明に係る研磨布保持装置の装着対象である揚送研磨機の概要について図４を参照して説明する。図４に示すように、揚送研磨機１は、パチンコ島の中枢要素となるものであり、床面に敷設されたベースプレート２上に立設された揚送塔３を母体とする装置である。揚送塔３は、柱状の揚送塔本体４と、これに開閉自在に取り付けてある開閉扉５，６とを備え、上下のプーリー７，８には、無端ベルト（図示略）が掛け回されている。この無端ベルトは、揚送塔の下部に取り付けられたモーター９により駆動可能となっている。上記の開閉扉５は、上からほぼ３分の１で上下に分離されており、下扉５と上扉６とは個別に開閉可能となっている。下扉（以下「扉」という）５の内側には、研磨布Ｎが装着してあり、上記の無端ベルトと研磨布の間をパチンコ玉が転がりながら上昇することにより研磨可能としてある。研磨布Ｎは、扉５の下端部から扉の内側に引き入れられ、上端部から引き出されるようになっており、下部は扉５の表面下部に設けてある布固定部材１１により固定可能としてあり、上部は扉５の表面上部に設けられた研磨布保持装置２０により緊張状態に保持可能となっている。
【００１３】
研磨布保持装置２０は、図１〜３に示すように、扉５の表面に取り付けられた取付板２１と、この取付板２１に昇降自在に設けてある布保持手段２３と、この布保持手段２３を下向きに付勢するための付勢手段であるスプリング２４の三者からなる。取付板２１は、上下に取付部２１ａ，２１ａが形成してあり、これらの取付部を介してビス２１ｂ，…により研磨布保持装置２０を扉５の表面に固定してある。また、この取付部２１ａが屈成していることにより、取付板２１の背面と扉５の表面との間に間隙が生じるようにしてあるため、布保持手段２３が円滑に昇降動作可能となっている。
【００１４】
布保持手段２３は、取付板２１に直接取り付けてあるスライド部材２５と、このスライド部材に揺動自在に取り付けてあるクランプ手段２７とからなる。スライド部材２５は、取付板２１の前面と対向する平板部２５ａの上半部の両側を立ち上げてなる第１側板部２５ｂ，２５ｂと、各第１側板部の下部に溶着してあるとともに、平板部２５ａの側部を通り越して取付板２１の背面側に回り込んでいる抱持部２５ｃを有する第２側板部２５ｄとからなる。平板部２５ａには、上下に長い長溝からなるガイド溝２５ｅが設けてあり、取付板２１にねじ込まれたガイドビス２５ｆにより、昇降量の規制及びスライド部材２５のずれ防止を図ってある。スライド部材２５の平板部２５ａの下端部中央には、スプリング用掛止部２５ｇが設けてあり、これにはスプリング２４の上端部が掛止されている。なお、スプリング２４の下端部は扉５の表面に設けられた掛止具５ｂに掛止されており、布保持手段２３はこれにより下向きの付勢力を受けてある。
【００１５】
クランプ手段２７は、横から見た形状が変則形状の台形に形成したものからなり、平板とその両側部を垂直に立ち上げてなるアーム部２７ａの一端部に、布押さえ付け部２７ｂがこれと一体に設けてある。布押さえ付け部２７ｂは、アーム部２７ａの平板に対して鋭角になっており、研磨布Ｎが上方へ引っ張られたときに、先端部が研磨布Ｎの表面からさらに食い込んで、滑りを生じないようにしてある。このクランプ手段２７は、アーム部２７ａの側板がスライド部材２５の台１側板部２５ｂに支軸２７ｃにより揺動自在に支持されている。アーム部２７ａの他端部に折り曲げ形成してなる端板にはハンドル２９が取り付けてある。
【００１６】
クランプ手段２７のアーム部２７ａの内側には、側板部に固着されたプレート母材３１を介して吸塵プレート３３が設けてある。吸塵プレート３３は、鉄電気石をシート上に形成したものからなる。この吸塵プレート３３は、プレート母材３１の表面に貼付して研磨布を引き出す際に、研磨布Ｎの表面が摺動するようにしてある。鉄電気石としては、摩擦により強い静電気を帯電する性質を有するものを選んでおくことが望ましい。吸塵プレート３３は、研磨布を引き出す際における摺動により静電気が誘起され、引き出された研磨布Ｎに付着している埃や毛羽を吸着可能とする。
【００１７】
この研磨布保持装置２０による研磨布の保持操作は、研磨布Ｎを扉５の上部から引き出す際に、研磨布の押さえ付け状態を解除してクランプ手段２７をフリー状態にしておく。次に、図３（ｂ）に示すように、研磨布Ｎを持ち上げるようにスライド部材２５から前方へ引き出すと、研磨布Ｎの表面が吸塵プレート３３に接触した状態となる。この結果、鉄電気石からなる吸塵プレート３３には静電気が誘起されるため、研磨布の表面に付着している埃や毛羽がこの吸塵プレート３３に付着する。こうして、研磨布Ｎの表面の埃や毛羽が吸塵プレート３３に転移するため、研磨布Ｎの表面から埃等が除去されてきれいになる。
【００１８】
吸塵プレートに転移した埃等は、研磨布Ｎの引き出し作業が終了した後に布などで拭き取れば、次回の引き出し作業の際に同様に、再び研磨布を引き出しながらの清掃が可能となる。吸塵プレート３３の清掃は、研磨布Ｎを垂れ下がり状態としておき、図２に示すように、クランプ手段２７のハンドル２９を持ち上げることにより作業スペースをとって行うようにすればよい。
【００１９】
上記の構成においては、研磨布Ｎの引き出し要領は、研磨布Ｎを持ち上げるようにスライド部材２５から前方へ引き出し、吸塵プレート３３の表面が、研磨布Ｎの表面と摺動するようになっている。この時の両者の接触圧は、クランプ手段２７の自重に依存している。また、研磨布Ｎの引き出し速度を速くすると、クランプ手段２７が跳ね上がって両者の接触が不十分となって埃等の吸引作用が十分に行われないおそれもある。これに対しては、ハンドル２９の重両を大きくして接触圧を大きくすることにより対処するとよい。すなわち、ハンドル２９の素材として直径の大きい棒材を採用し、かつハンドルのアームの長さを大きくすることによりトルクを大きくすることが望ましい。また、ハンドル２９の重両を大きくすると、研磨布Ｎを押さえ付けている時の押さえ付け力が大きくなり、かつ振動等によりクランプ手段２７が跳ね上がって研磨布の押さえ付け状態が外れるような事態も生じにくくする効果もある。
【００２０】
吸塵プレート３３と研磨布Ｎとの十分な接触を得る手段としては、上記のように、ハンドルの重量を大きくするほかに、図５に示すように、クランプ手段の揺動角規制手段を採用することも有効である。この揺動角規制手段５１の構成は、図５に示すように、布保持手段４３にクランプ手段４７を、研磨布Ｎの引き出し時には、特定の限度までしか開かず、吸塵プレート３３の清掃などの際にはさらに開くことができるようにしたものである。この手段を採用する研磨布保持装置４０の基本構成は、上記例と同様であるが、クランプ手段３７の揺動角を規制可能とすることにより、研磨布を引き出す際に研磨布の表面を吸塵プレート３３に接触しやすくしたものである。
【００２１】
揺動角規制手段５１の構成は、ガイド突起４７ｄと、ガイド溝部５３と、ストッパ部材５５の三者により構成してある。ガイド溝部５３は、スライド部材４５の第１側板部４５ｂと第２側板部４５ｄとが重なり合っている部分に、円弧状に設けてあり一方の端部は開口となっている。また、ガイド突起４７ｄは、クランプ手段４７のアーム部４７ａの外側にガイド突起４７ｄを設けてある。このガイド突起４７ｄは、ガイド溝部５３に沿って円弧運動可能としてある。このガイド溝部５３は、端部が開放となっているが、これは吸塵プレート３３を清掃する際に、クランプ手段４７をさらに持ち上げ可能とすることにより作業を容易にするためのものである。
【００２２】
ストッパ部材５５は、Ｌ字形の揺動体からなり、長辺５５ａの端部を、図６に示すように、第１側板部４５ｂと第２側板部４５ｄとが重なり合っている部分の外側に、支軸５５ｃを介して揺動自在に支持してある。また、長辺５５ａが水平になっているときには、垂直になっている方の短辺５５ｂの外側は、第２側板部４５ｄの外辺の内側に位置するようになっている。この状態においては、長辺５５ａは、第２側板部４５ｄの外側に設けてある支持突起４５ｆにより水平状態に保持可能となっている。長辺５５ａが水平になっているときには、クランプ手段４７のガイド突起４７ｄが短辺５５ｂにより移動を阻止されるようになっているため、クランプ部材４７はこれ以上開くことができないようになっている。
【００２３】
この結果、研磨布を引き出す際に、研磨布の引き出す方の部分を持ち上げるようにしながら引き出すと、クランプ手段４７が跳ね上がらなくなるため、研磨布Ｎの表面と吸塵プレート３３とは十分な接触が得られる（図５参照）。また、このストッパ部材５５を回動させれば、ガイド溝部５３の開口が開放状態となるので、ガイド突起４７ｄはここから脱出してクランプ手段４７を自由に開くことが可能となる。
【００２４】
この他、研磨布を引き出す際の研磨布Ｎと吸塵プレートとの接触を十分にするための手段としては、例えば、図１〜図３に示してある研磨布保持装置２０を構成するクランプ手段２７のハンドル２９に錘を吊り下げて両者間の接触圧を高くするようにすることも可能である。なお、上記の説明は、いずれもクランプ手段の押さえ付け部が研磨布をスライド部材の平板部に押さえ付けるようになっているが、研磨布の押さえ付けはこれに限定されるものではなく、その他の手段によって押さえ付けるようにしてあるものに対しても適用可能である。
【００２５】
【発明の効果】
本発明によれば、研磨布を押さえ付けるためのクランプ手段に吸塵プレートが設けてあるので、研磨布を引き出す際に研磨布に付着している埃や毛羽を除去可能となる。これは研磨布の洗濯の際に汚れ量の少ない研磨布を洗濯すればよいことになるので、研磨布の洗濯時間を短縮することができる。したがって、研磨布の痛みを少なくすることができるため、研磨布の寿命を延ばすことができる他、洗剤の使用量を節減することができる。
【図面の簡単な説明】
【図１】本発明に係る研磨布保持装置により研磨布を緊張状態に保持している状態を示す斜視図である。
【図２】同じく、クランプ手段を開放した状態を示す斜視図である。
【図３】本発明に係る研磨布保持装置の構成を示すものであり、（ａ）は研磨布を緊張状態に保持している状態を示す断面図、（ｂ）は研磨布を引き出している状態を示す断面図である。
【図４】研磨布保持装置を取り付けた揚送研磨機を示すものであり、（ａ）は外観を示す正面図、（ｂ）は扉を半開きにした状態を示す正面図である。
【図５】変形例を示す断面図である。
【図６】揺動角規制手段の構成を示す説明図である。
【図７】従来技術を示す斜視図である。
【符号の説明】
１                揚送研磨機
３                揚送塔
４                揚送塔本体
５，６            扉
１１              布固定部材
２０，４０        研磨布保持装置
２１              取付板
２３，４３          布保持手段
２５，４５        スライド部材
２５ｂ，４５ｂ    第１側板部
２５ｄ，４５ｄ    第２側板部
２７，４７        クランプ手段
２７ａ，４７ａ    アーム部
２７ｂ，４７ｂ    布押さえ付け部
３１              プレート母材
３３              吸塵プレート
５１              揺動角規制手段
５２              ガイド突起
５３              ガイド溝
５５              ストッパ部材
【図１】
2004181129.tif 000003
【図２】
2004181129.tif 000004
【図３】
2004181129.tif 000005
【図４】
2004181129.tif 000006
【図５】
2004181129.tif 000007
【図６】
2004181129.tif 000008
【図７】
2004181129.tif 000009